【手続補正書】
【提出日】平成22年10月19日(2010.10.19)
【手続補正１】
【補正対象書類名】特許請求の範囲
【補正対象項目名】全文
【補正方法】変更
【補正の内容】
【特許請求の範囲】
【請求項１】
受信したＯＦＤＭ（直交周波数分割多重）信号の処理を最適化する方法であって、該ＯＦＤＭ信号は時間方向に複数のシンボルを含み、各シンボルは周波数方向に複数のサブキャリアを含み、
ａ）前記受信したＯＦＤＭ信号のチャネル推定及び等化のための複数の技法を準備し、
ｂ）前記ＯＦＤＭ信号の１つ又はそれ以上のシンボルを受信し、
ｃ）前記ＯＦＤＭ信号の前記受信した１つ又はそれ以上のシンボル、又はさらに別の１つ又はそれ以上のシンボルに対して用いる前記複数の技法のうちの１つの選択を、
i)  前記受信した１つ又はそれ以上のシンボルに対するチャネル推定及び等化を、前記複数の技法の各々に関して、前記受信した１つ又はそれ以上のシンボル内の前記サブキャリアの少なくとも幾つかを用いて実行し、
ii)  前記複数の技法の各々に関して、各サブキャリアに対する歪みパラメータを導出し、該歪みパラメータは、実際の等化されたサブキャリアと用いられた特定の変調方式に関する理想的なサブキャリアとの間の差の尺度を定め、
iii)  前記ＯＦＤＭ信号の前記受信された一つ又はそれ以上のシンボル内の前記サブキャリアにわたって平均された、前記複数の技法ごとの平均歪みパラメータを比較し、そして、
iv)  前記平均歪みパラメータが所定の許容範囲に入る限り、最小のエネルギー消費を有する技法を選択することによって、達成し、
ｄ）前記ＯＦＤＭ信号の前記受信した１つ又はそれ以上のシンボルに対してチャネル推定及び等化を実行し、
ｅ）ステップｂ）、ｃ）及びｄ）を繰り返す、
ステップを含むことを特徴とする方法。
【請求項２】
ステップｃ）が前記ＯＦＤＭ信号の前記受信した１つ又はそれ以上のシンボルに対して用いる前記複数の技法のうちの１つを選択するステップを含む場合、ステップd）は前記ＯＦＤＭ信号の前記受信した１つ又はそれ以上のシンボルに対するチャネル推定及び等化を、前記選択された技法を用いて実行することを含むことを特徴とする、請求項１に記載の方法。
【請求項３】
ステップｃ）が前記ＯＦＤＭ信号のさらに別の１つ又はそれ以上のシンボルに対して用いる前記複数の技法のうちの１つを選択するステップを含む場合、ステップｅ）によるステップｂ）、ｃ）及びｄ）の更なる繰返しにおいて、ステップｄ）は前記ＯＦＤＭ信号の前記さらに別の受信した１つ又はそれ以上のシンボルに対するチャネル推定及び等化を、前記選択された技法を用いて実行することを含むことを特徴とする、請求項１に記載の方法。
【請求項４】
サブキャリアに対する前記歪みパラメータは、複素平面内の前記サブキャリアの理想位置と前記複素平面内の前記等化されたサブキャリアの実際の位置との間の、前記複素平面内における距離を含むことを特徴とする、請求項１乃至３の何れか１項記載の方法。
【請求項５】
前記ステップｉ）は、
前記ＯＦＤＭ信号の前記受信した１つ又はそれ以上のシンボルに対するチャネル推定及び等化を、前記複数の技法の各々に関して、前記受信した１つ又はそれ以上のシンボル内の前記サブキャリアの全てを用いて実行する、
ことを含む
ことを特徴とする請求項４に記載の方法。
【請求項６】
前記ＯＦＤＭ信号の前記受信した１つ又はそれ以上のシンボルに対する前記チャネル推定及び等化を実行するステップｄ）は、請求項５のステップｉ）の結果を再使用するステップを含むことを特徴とする、請求項５に記載の方法。
【請求項７】
前記ＯＦＤＭ信号の前記受信した１つ又はそれ以上のシンボルに対する前記チャネル推定及び等化を実行するステップｄ）は、前記選択された技法を用いて、前記ＯＦＤＭ信号の前記受信した１つ又はそれ以上のシンボルに対して、前記チャネル推定及び等化を再実行するステップを含むことを特徴とする、請求項５に記載の方法。
【請求項８】
前記ステップｉ）は、
前記ＯＦＤＭ信号の前記受信した１つ又はそれ以上のシンボルに対するチャネル推定及び等化を、前記複数の技法の各々に関して、前記受信した１つ又はそれ以上のシンボル内の前記サブキャリアのサブセットのみを用いて実行する、
ことを含む
ことを特徴とする請求項１乃至４の何れか１項に記載の方法。
【請求項９】
前記ＯＦＤＭ信号の前記受信した１つ又はそれ以上のシンボルの各々に対して選択された前記サブキャリアの前記サブセットは、継続的パイロット・サブキャリア及びＴＰＳサブキャリアを含むことを特徴とする、請求項８に記載の方法。
【請求項１０】
前記選択するステップｃ）は、
前記複数の技法の各々に関する、前記受信した１つ又はそれ以上のシンボル内の前記サブキャリアの少なくとも幾つかにわたって平均された現行平均歪みパラメータを記憶し、および
前記ステップｃ）のｉｉ）で導出された平均歪みパラメータを用いて、前記複数の技法の各々に関する現行平均歪みパラメータを更新することを含み、
前記ステップｃ）のｉｉが）複数の技法の全ての最新の前記現行平均歪みパラメータを比較することを含む
ことを特徴とする請求項４に記載の方法。
【請求項１１】
前記ＯＦＤＭ信号の１つ又はそれ以上のシンボルの各々は、前記受信したＯＦＤＭ信号のシンボルであることを特徴とする、請求項１乃至１０の何れか１項に記載の方法。
【請求項１２】
コンピュータ手段上で実行するとき、該コンピュータ手段に請求項１乃至１１の何れか１項に記載の方法を実行させるコンピュータ・プログラム。
【請求項１３】
請求項１２に記載のコンピュータ・プログラムを記憶して含む記録担体。
【請求項１４】
受信したＯＦＤＭ（直交周波数分割多重）信号の処理を最適化するための受信機であって、該ＯＦＤＭ信号は時間方向に複数のシンボルを含み、各シンボルは周波数方向に複数のサブキャリアを含み、
各々が、前記受信したＯＦＤＭ信号に対するチャネル推定及び等化のためのそれぞれの技法を適用するように構成された、複数のチャネル推定器及び等化器と、
前記受信したＯＦＤＭ信号の各々のシンボル又は複数シンボルに対して、前記複数のチャネル推定器及び等化器のうちのどれを用いるかの選択を、
i)  前記受信した１つ又はそれ以上のシンボルに対するチャネル推定及び等化を、前記複数の技法の各々に関して、前記受信した１つ又はそれ以上のシンボル内の前記サブキャリアの少なくとも幾つかを用いて実行し、
ii)  前記複数の技法の各々に関して、各サブキャリアに対する歪みパラメータを導出し、該歪みパラメータは、実際の等化されたサブキャリアと用いられた特定の変調方式に関する理想的なサブキャリアとの間の差の尺度を定め、
iii)  前記ＯＦＤＭ信号の前記受信された一つ又はそれ以上のシンボル内の前記サブキャリアにわたって平均された、前記複数の技法ごとの平均歪みパラメータを比較し、そして、
iv)  前記平均歪みパラメータが所定の許容範囲に入る限り、最小のエネルギー消費を有する技法を選択することによって、達成する手段と
を備えることを特徴とする受信機。
【請求項１５】
前記複数のチャネル推定器及び等化器の各々は、前記ＯＦＤＭ信号の受信したシンボル又は複数シンボルに対するチャネル推定及び等化を、前記受信したシンボル又は複数シンボル内の全てのサブキャリアを用いて実行するように構成され、前記選択する手段は前記複数のチャネル推定器及び等化器の全ての結果を比較するように構成される、ことを特徴とする請求項１４に記載の受信機。
【請求項１６】
前記複数のチャネル推定器及び等化器の各々は、前記ＯＦＤＭ信号の受信したシンボル又は複数シンボルに対するチャネル推定及び等化を、前記受信したシンボル又は複数シンボル内のサブキャリアのサブセットのみを用いて実行するように構成され、前記選択する手段は前記複数のチャネル推定器及び等化器の全ての結果を比較するように構成される、ことを特徴とする請求項１４に記載の受信機。